(57)【特許請求の範囲】
【請求項１】
巻回されたコイル素線で構成された第１のコイルバネ部と、該第１のコイルバネ部のコイル素線の一端から延びたコイル素線の領域であり、かつ、同第１のコイルバネ部の外側に配置された端部領域と、前記第１のコイルバネ部を構成するコイル素線の他端から延びたコイル素線が、同第１のコイルバネ部と略同心状にかつ半円以上の大きさの円弧状に巻回された領域である円弧状領域および同第１のコイルバネ部と略同心状にかつ多角形状に少なくとも１周巻回された領域である多角形状領域を含み、かつ、同第１のコイルバネ部の巻回径よりも大きい巻回径を含む第２のコイルバネ部とを有するコイルバネ体と、
互いに対向する一方の端面と他方の端面との間を貫通して形成された貫通孔の内部に、同貫通孔と同軸上に収容された前記コイルバネ体の前記第２のコイルバネ部に対応する位置の内側面に設けられた凸部を有し、かつ、前記コイルバネ体の前記端部領域を挿入可能な凹部が内側面に形成された、または前記コイルバネ体の前記端部領域を挿入可能であり、かつ、内側面と外側面との間を貫通する開口部が形成されたナット体と、
中央板と、
該中央板の一の縁部から突出し、かつ、互いに対向する一方の面と他方の面との間を貫通して第１の固定用貫通孔が形成された、かつ、前記ナット体の前記貫通孔と同第１の固定用貫通孔とが同軸上に位置した状態で同ナット体が配置される第１の側板と、
該第１の側板が突出した前記中央板の一の縁部に対向する他の縁部から同第１の側板と略同じ方向に突出し、かつ、互いに対向する一方の面と他方の面との間を貫通して前記第１の固定用貫通孔と同軸上に第２の固定用貫通孔が形成された第２の側板とを備える
固定具。
【請求項２】
前記第２のコイルバネ部は、前記第１のコイルバネ部を構成するコイル素線の他端に連
接した前記円弧状領域を含む
請求項１に記載の固定具。
【請求項３】
前記ナット体の、前記貫通孔の内部に同軸上に収容された前記コイルバネ体の前記第２のコイルバネ部に対応する位置の内側面に、前記多角形状領域の角部に対応する隅部が形成されており、かつ、前記凸部が同隅部と同隅部の間に設けられた
請求項１または請求項２に記載の固定具。
【請求項４】
前記ナット体の貫通孔の一部にネジ山が設けられており、
前記ナット体の貫通孔の、前記ネジ山が設けられた一部の径と、前記第１の固定用貫通孔の径は略同じであり、
前記第１の固定用貫通孔の径よりも、前記第２の固定用貫通孔の径の方が大きい
請求項１、請求項２または請求項３に記載の固定具。
【発明の詳細な説明】
【技術分野】
【０００１】
本発明は固定具に関する。詳しくは、ボルトから被固定物やナットが脱落し難い固定具に係るものである。
【背景技術】
【０００２】
一般に、建築構造物を構成する二つの部材を固定するための方法として、溶接によって固定する方法や、ボルトとナットによって締結する方法が用いられている。
【０００３】
また、溶接による固定は、溶接設備が必要となり、施工に手間と時間がかかるので、ボルトとナットによって締結する方法が多く採用されている。
【０００４】
例えば特許文献１に記載のグランド埋め込み用部材にも、ボルトとナットによって締結する方法が採用されている。すなわち、特許文献１に記載のグランド埋め込み用部材１０１は、図７に示すように、ライン部材１０２と芯部材１０３とを備える。
【０００５】
また、ライン部材１０２は、表面部材１０２Ａおよび中間部材１０２Ｂを有する。
また、芯部材１０３は、垂直部１０３Ａおよび水平部１０３Ｂを有する。また、垂直部１０３Ａはライン部材１０２の中間部材１０２Ｂ内に挿入されている。
【０００６】
また、ライン部材１０２および芯部材１０３の垂直部１０３Ａには、ボルト１０５が貫通する孔が設けられており、ボルト１０５とナット１０６を組み合わせてライン部材１０２と芯部材１０３とを固定することができる。
【先行技術文献】
【特許文献】
【０００７】
【特許文献１】特開２００４−３５８０５６号公報
【発明の概要】
【発明が解決しようとする課題】
【０００８】
ところで、従来は、ボルトやナットを締め付けたり、緩めたりする場合、ボルトやナットの種類に応じた専用の工具を使っていた。
【０００９】
しかし、ボルトやナットを特に緩めようとするときに、そのボルトやナットの種類に応じた専用の工具がなければ、緩める作業がなかなか進まず、急いで緩めなければならない場合には問題であった。
【００１０】
本発明は、以上の点に鑑みて創案されたものであり、どのような工具を使っても簡単に緩めることができる固定具を提供することを目的とする。
【課題を解決するための手段】
【００１１】
上記の目的を達成するために、本発明の固定具は、巻回されたコイル素線で構成された第１のコイルバネ部と、該第１のコイルバネ部のコイル素線の一端から延びたコイル素線の領域であり、かつ、同第１のコイルバネ部の外側に配置された端部領域と、前記第１のコイルバネ部を構成するコイル素線の他端から延びたコイル素線が、同第１のコイルバネ部と略同心状にかつ半円以上の大きさの円弧状に巻回された領域である円弧状領域および同第１のコイルバネ部と略同心状にかつ多角形状に少なくとも１周巻回された領域である多角形状領域を含み、かつ、同第１のコイルバネ部の巻回径よりも大きい巻回径を含む第２のコイルバネ部とを有するコイルバネ体と、互いに対向する一方の端面と他方の端面との間を貫通して形成された貫通孔の内部に、同貫通孔と同軸上に収容された前記コイルバネ体の前記第２のコイルバネ部に対応する位置の内側面に設けられた凸部を有し、かつ、前記コイルバネ体の前記端部領域を挿入可能な凹部が内側面に形成された、または前記コイルバネ体の前記端部領域を挿入可能であり、かつ、内側面と外側面との間を貫通する開口部が形成されたナット体と、中央板と、該中央板の一の縁部から突出し、かつ、互いに対向する一方の面と他方の面との間を貫通して第１の固定用貫通孔が形成された、かつ、前記ナット体の前記貫通孔と同第１の固定用貫通孔とが同軸上に位置した状態で同ナット体が配置される第１の側板と、該第１の側板が突出した前記中央板の一の縁部に対向する他の縁部から同第１の側板と略同じ方向に突出し、かつ、互いに対向する一方の面と他方の面との間を貫通して前記第１の固定用貫通孔と同軸上に第２の固定用貫通孔が形成された第２の側板とを備える。
【００１２】
ここで、第１のコイルバネ部のコイル素線の一端から延びたコイル素線の領域であり、かつ、第１のコイルバネ部の外側に配置された端部領域によって、第１のコイルバネ部を拡径方向に押しやすい。
【００１３】
また、第２のコイルバネ部のコイル素線が第１のコイルバネ部と略同心状にかつ半円以上の大きさの円弧状に巻回された領域である円弧状領域によって、第２のコイルバネ部が、縮径した位置から縮径する前の位置に戻りやすい。
【００１４】
また、第２のコイルバネ部のコイル素線が第１のコイルバネ部と略同心状にかつ多角形状に少なくとも１周巻回された領域である多角形状領域によって、コイルバネ体を本体の内側面に接触させやすい。
【００１５】
また、第２のコイルバネ部が第１のコイルバネ部の巻回径よりも大きい巻回径を含むことによって、コイルバネ体は、ボルトの脚部に形成されたネジ溝に嵌合しない部分を有することができる。
【００１６】
また、コイルバネ体の端部領域を挿入可能な凹部が内側面に形成されているか、またはコイルバネ体の端部領域を挿入可能であり、かつ、内側面と外側面との間を貫通する開口部が形成されていることによって、端部領域を凹部の縁または開口部の縁に当てることができる。
【００１７】
また、互いに対向する一方の端面と他方の端面との間を貫通して形成された貫通孔の内部に、貫通孔と同軸上に収容されたコイルバネ体の第２のコイルバネ部に対応する位置の内側面に設けられた凸部によって、多角形状領域の角部近傍と凸部を当接させて、コイルバネ体の縮径を抑制しやすくできる。
【００１８】
また、中央板と、中央板の一の縁部から突出した第１の側板と、第１の側板が突出した中央板の一の縁部に対向する他の縁部から第１の側板と略同じ方向に突出した第２の側板とによって、第１の側板と第２の側板との間に被固定物を挟むことができる。
【００１９】
また、互いに対向する一方の面と他方の面との間を貫通して第１の固定用貫通孔が形成された、かつ、ナット体の貫通孔と第１の固定用貫通孔とが同軸上に位置した状態でナット体が配置される第１の側板と、互いに対向する一方の面と他方の面との間を貫通して第１の固定用貫通孔と同軸上に第２の固定用貫通孔が形成された第２の側板とによって、ナット体の貫通孔と、第１の固定用貫通孔と、第２の固定用貫通孔とに１本のボルトを挿通させることができる。
【００２０】
また、本発明の固定具において、第２のコイルバネ部は、第１のコイルバネ部を構成するコイル素線の他端に連接した円弧状領域を含むものとすることができる。
【００２１】
この場合、第２のコイルバネ部が、縮径した位置から縮径する前の位置に、より一層戻りやすい。
【００２２】
また、本発明の固定具において、ナット体の、貫通孔の内部に同軸上に収容されたコイルバネ体の第２のコイルバネ部に対応する位置の内側面に、多角形状領域の角部に対応する隅部が形成されており、かつ、凸部が隅部と隅部の間に設けられたものとすることができる。
【００２３】
この場合、コイルバネ体をナット体の内側面にさらに接触させやすい。
【００２４】
また、本発明の固定具において、ナット体の貫通孔の一部にネジ山が設けられており、ナット体の貫通孔の、ネジ山が設けられた一部の径と、第１の固定用貫通孔の径は略同じであり、第１の固定用貫通孔の径よりも、第２の固定用貫通孔の径の方が大きいものとすることができる。
【００２５】
この場合、第２の固定用貫通孔を通るボルトと第２の固定用貫通孔との間に隙間を生じさせ、いわゆる「遊び」を形成することができる。
【発明の効果】
【００２６】
本発明に係る固定具は、どのような工具を使っても簡単に緩めることができる。
【図面の簡単な説明】
【００２７】
【図１】本発明を適用した固定具の一例を示す概略分解図である。
【図２Ａ】本発明を適用した固定具のコイルバネ体の概略正面図である。
【図２Ｂ】本発明を適用した固定具のコイルバネ体の概略平面図である。
【図３】図１のＡ−Ａ線に沿った概略断面図である。
【図４】図１に示したコイルバネ体を収容したナット体を第１の側板に取付けた状態の本発明を適用した固定具の一例を示す概略斜視図である。
【図５Ａ】ボルトを装着した本発明を適用した固定具の一例を示す概略図である。
【図５Ｂ】図５Ａに示された本発明を適用した固定具の概略平面図である。
【図６Ａ】本発明を適用した固定具に装着したボルトを緩めるときの様子の一例を示す概略図である。
【図６Ｂ】図６Ａに示された本発明を適用した固定具の概略平面図である。
【図７】従来のボルトとナットを使った締結方法を示す概略図である。
【発明を実施するための形態】
【００２８】
以下、本発明の実施の形態について図面を参照しながら説明し、本発明の理解に供する。
【００２９】
図１は、本発明を適用した固定具の一例を示す概略分解図である。また、図２Ａは、本発明を適用した固定具のコイルバネ体の概略正面図である。また、図２Ｂは、本発明を適用した固定具のコイルバネ体の概略平面図である。
【００３０】
また、図３は、図１のＡ−Ａ線に沿った概略断面図である。また、図４は、図１に示したコイルバネ体を収容したナット体を第１の側板に取付けた状態の本発明を適用した固定具の一例を示す概略斜視図である。
【００３１】
図１に示す本発明の固定具１は、コイルバネ体２と、ナット体３と、金具３０を備える。
【００３２】
また、コイルバネ体２は、第１のコイルバネ部２Ａと、端部領域２１と、第２のコイ
ルバネ部２Ｂを有する。
【００３３】
また、第１のコイルバネ部２Ａは、所定の径で巻回されたコイル素線で構成されている。
ここで、第１のコイルバネ部２Ａの径は、ボルトの脚部の外径よりもわずかに小さい。
【００３４】
また、端部領域２１は、第１のコイルバネ部２Ａのコイル素線の一端から延びたコイル素線の領域であり、かつ、第１のコイルバネ部２Ａの外側に配置されている。
【００３５】
また、第２のコイルバネ部２Ｂは、第１のコイルバネ部２Ａを構成するコイル素線の他端から延びたコイル素線で構成されている。
また、第２のコイルバネ部２Ｂを構成するコイル素線は、第１のコイルバネ部２Ａの巻回径よりも大きい巻回径で巻回されている。
【００３６】
すなわち、第２のコイルバネ部２Ｂは、第１のコイルバネ部２Ａを構成するコイル素線の他端から延びたコイル素線が、第１のコイルバネ部２Ａと略同心状にかつ半円の大きさの円弧状に巻回された領域である円弧状領域２２を含む。
【００３７】
また、第２のコイルバネ部２Ｂは、第１のコイルバネ部２Ａを構成するコイル素線の他端から延びたコイル素線が、第１のコイルバネ部２Ａと略同心状にかつ六角形状に少なくとも１周巻回された領域である多角形状領域２３を含む。
従って、多角形状領域２３には少なくとも６箇所の角部２３Ａが存在する。
【００３８】
また、円弧状領域２２は、第１のコイルバネ部２Ａを構成するコイル素線の他端に連接している。すなわち、円弧状領域２２を構成するコイル素線は、第１のコイルバネ部２Ａを構成するコイル素線の他端から延びている。
【００３９】
また、多角形状領域２３は円弧状領域２２に隣接している。すなわち、多角形状領域２３を構成するコイル素線は、円弧状領域２２を構成するコイル素線の終端から延びている。
【００４０】
また、本発明の固定具１のナット体３には、互いに対向する一方の端面と他方の端面との間を貫通する貫通孔４が形成されている。
【００４１】
また、ナット体３の外形は六角形である。すなわち、貫通孔４の中心軸線と直交する方向におけるナット体３の断面形状は六角形状である。
また、ナット体の外形は必ずしも六角形でなくてもよいことは勿論である。例えば、ナット体の外形は五角形や八角形でもよい。
【００４２】
また、金具３０は、中央板３１と、第１の側板３２と、第２の側板３３とを有する。
また、第１の側板３２は、中央板３１の一の縁部から、中央板３１に対して略直交する方向に突出している。
【００４３】
また、第１の側板３２には、互いに対向する一方の面と他方の面との間を貫通して第１の固定用貫通孔３２Ａが形成されている。
【００４４】
また、ナット体３の貫通孔４と第１の固定用貫通孔３２Ａとが同軸上に位置した状態で、ナット体３が第１の側板３２に取付けられる。
【００４５】
また、第２の側板３３は、第１の側板３２が突出した中央板３１の一の縁部に対向する他の縁部から第１の側板３２と略同じ方向に突出している。
すなわち、第１の側板３２と、中央板３１と、第２の側板３３とを通る方向の断面形状は略Ｕ字形状である。
【００４６】
また、第２の側板３３には、互いに対向する一方の面と他方の面との間を貫通して第１の固定用貫通孔３２Ａと同軸上に第２の固定用貫通孔３３Ａが形成されている。
【００４７】
また、第１の側板３２の、中央板３１側とは反対側の縁部から所定範囲の領域である縁部領域が、第２の側板３３とは反対側に向けて曲げられている。
【００４８】
また、図３に示すように、ナット体３の貫通孔４は、内径が互いに異なる３つの空間に分けられている。
すなわち、一方の端面から上段差部３Ａと略同一平面までの空間である上部空間４Ａと、上段差部３Ａと略同一平面から下段差部３Ｂと略同一平面までの空間である中部空間４Ｂと、下段差部３Ｂと略同一平面から本体３の他方の端面までの空間である下部空間４Ｃである。
【００４９】
また、上部空間４Ａの内径が一番大きく、中部空間４Ｂの内径が二番目に大きく、下部空間４Ｃの内径が一番小さい。
すなわち、上段差部３Ａの分だけ中部空間４Ｂの内径は上部空間４Ａの内径より小さい。また、下段差部３Ｂの分だけ下部空間４Ｃの内径は中部空間４Ｂの内径より小さい。
【００５０】
また、上部空間４Ａを形成するナット体３の内側面には、六角形のナット体３の突き出た部分に相当する位置に隅部７が形成されている。
【００５１】
また、上部空間４Ａを形成するナット体３の内側面には、隅部７と隅部７との間に凸部５が設けられている。また、図１に示す例では、凸部５は互いに対向する２箇所に設けられている。
なお、凸部の数がこれに限定されるものではないことは勿論である。
【００５２】
また、中部空間４Ｂを形成するナット体３の内側面の一部と外側面との間を貫通する開口部６が形成されている。
【００５３】
また、下部空間４Ｃを形成するナット体３の内側面にはネジ溝とネジ山が形成されている。すなわち、ナット体３はネジ部８を有する。
【００５４】
また、コイルバネ体２を、ナット体３の貫通孔４の内部に貫通孔４と同軸上に収容した状態では、第２のコイルバネ部２Ｂは貫通孔４の上部空間４Ａ内に位置する。
【００５５】
すなわち、凸部５は、貫通孔４の内部に貫通孔４と同軸上に収容されたコイルバネ体２の第２のコイルバネ部２Ｂに対応する位置のナット体３の内側面に設けられている。
また、隅部７は、貫通孔４の内部に貫通孔４と同軸上に収容されたコイルバネ体２の第２のコイルバネ部２Ｂの多角形状領域２３の角部２３Ａに対応するものである。
【００５６】
また、ナット体３の貫通孔４の、ネジ山が設けられた一部の径すなわち下部空間４Ｃの径と、第１の固定用貫通孔３２Ａの径は略同じである。また、第１の固定用貫通孔３２Ａの径よりも、第２の固定用貫通孔３３Ａの径の方が大きい。
【００５７】
また、コイルバネ体２を、ナット体３の貫通孔４の内部に貫通孔４と同軸上に収容した状態では、第１のコイルバネ部２Ａは貫通孔４の中部空間４Ｂ内に位置する。
【００５８】
従って、コイルバネ体２を、ナット体３の貫通孔４の内部に貫通孔４と同軸上に収容した状態では、端部領域２１は第１のコイルバネ部２Ａの外側に配置されているので、端部領域２１は開口部６に挿入される。
【００５９】
また、図４に示す、コイルバネ体２が収容されたナット体３は、第１の側板３２に溶接などで固着されている。
ここで、ナット体３の貫通孔と、第１の側板３２に形成された第１の固定用貫通孔とは互いに同軸上に配置されている。
また、ナット体３は、必ずしも第１の側板３２に固着されていなくてもよい。
【００６０】
なお、コイルバネ体２が収容されたナット体３を、第１の側板３２に固着していなければ、ボルトを本発明の固定具１に装着する際に、作業者は、ボルトを持ったまま、コイルバネ体２が収容されたナット体３を回転させなければならず、作業者に負担がかかることが予想される。
【００６１】
また、第１のコイルバネ部２Ａの巻回径と、下部空間４Ｃの内径すなわちネジ部８の内径は略同じである。
また、第１のコイルバネ部２Ａは、下部空間４Ｃ内には位置しない。
【００６２】
また、第１のコイルバネ部２Ａと第２のコイルバネ部２Ｂは互いに同心状に形成されており、しかも、コイルバネ体２は、ナット体３の貫通孔４の内部に貫通孔４と同軸上に収容されている。
【００６３】
従って、ナット体３のネジ部８を通ったボルトの脚部は、第１のコイルバネ部２Ａに到達し、そして、第１のコイルバネ部２Ａのコイル素線がボルトの脚部に形成されたネジ溝と係合する。
【００６４】
なお、コイルバネ体２はナット体３に固着されていない。
なぜなら、第２のコイルバネ部２Ｂの巻回径は、ナット体３の上部空間４Ａの内径よりわずかに小さいだけであり、また、ナット体３の内側面に設けられた凸部５が第２のコイルバネ部２Ｂに当接しているため、コイルバネ体２がナット体３に固着されていなくても、コイルバネ体２はナット体３から容易に離脱しないからである。
【００６５】
図５Ａは、ボルトを装着した本発明を適用した固定具の一例を示す概略図である。また、図５Ｂは、図５Ａに示された本発明を適用した固定具の概略平面図である。また、図６Ａは、本発明を適用した固定具に装着したボルトを緩めるときの様子の一例を示す概略図である。また、図６Ｂは、図６Ａに示された本発明を適用した固定具の概略平面図である。
【００６６】
図５Ａは、本発明の固定具１を使用して、Ｈ形鋼のフランジ９に遮音壁のフランジ９Ａを固定した様子を示している。なお、図示していないが、Ｈ形鋼のフランジ９と遮音壁のフランジ９Ａにはそれぞれ、互いに対向する一方の面と他方の面との間を貫通して貫通孔が形成されている。
【００６７】
次に、Ｈ形鋼のフランジ９に遮音壁のフランジ９Ａを固定するときの方法を説明する。
第１の側板３２と第２の側板３３との間に、Ｈ形鋼のフランジ９の一部が挿入されるように、本発明の固定具１をＨ形鋼のフランジ９の一部に当接させる。
このとき、第１の固定用貫通孔３２Ａと、Ｈ形鋼のフランジ９に形成された貫通孔と、第２の固定用貫通孔３３Ａは、互いに同軸上に配置されるようにする。
【００６８】
また、遮音壁のフランジ９Ａを第２の側板３３に沿わせて配置する。このときも、遮音壁のフランジ９Ａに形成された貫通孔と、第２の固定用貫通孔３３Ａとが互いに同軸上に配置されるようにする。
【００６９】
そして、ボルト１０の脚部１１を、互いに同軸上に配置された、第２の固定用貫通孔３３Ａと、Ｈ形鋼のフランジ９に形成された貫通孔と、第１の固定用貫通孔３２Ａと、ナット体３の貫通孔４に挿入する。
【００７０】
このとき、ナット体３の貫通孔４の一部すなわちネジ部８にはネジ山が設けられているので、図５Ａに示すように、ボルト１０を、締め付ける方向１２である右方向へ回転させて、ボルト１０の脚部１１にナット体３を装着させる。
【００７１】
また、ボルト１０の脚部１１をナット体３から離脱させる場合には、図６Ａに示すようにボルト１０を、緩める方向１３である左方向へ回転させる。
【００７２】
図５Ｂに示すように多角形状領域２３の角部２３Ａは、ボルトを、締め付ける方向１２へ回転させたとき、ナット体３の内側面に形成された隅部７と対応する位置にある。
【００７３】
なお、ボルト１０を回転させていない状態、すなわち、本発明の固定具１に装着したボルト１０が静止した状態においても、多角形状領域２３の角部２３Ａは、ナット体３の内側面に形成された隅部７と対応する位置にある。
【００７４】
一方、図６Ｂに示すように多角形状領域２３の角部２３Ａは、ボルトを、緩める方向１３へ回転させたとき、ナット体３の内側面に形成された隅部７と対応する位置から移動する。
そして、角部２３Ａの近傍が凸部５に当接したり、角部２３Ａがナット体３の内側面に当接したりする。
【００７５】
すなわち、本発明の固定具１に装着したボルト１０を緩める方向１３へ回転させると、コイルバネ体２は縮径する。
このとき、第１のコイルバネ部２Ａのコイル素線がボルト１０の脚部１１に形成されたネジ溝に押し付けられる。
【００７６】
一方、コイルバネ体２は縮径するので、第１のコイルバネ部２Ａのコイル素線の一端から延びたコイル素線の領域である端部領域２１は開口部６の縁へ向けて移動し、開口部６の縁に当たる。
そして、さらに本発明の固定具１に装着したボルト１０を緩める方向１３へ回転させ続けると、開口部６の縁が端部領域２１を拡径方向へ押す。
【００７７】
また、このとき、第２のコイルバネ部２Ｂの多角形状領域２３の角部２３Ａの近傍が凸部５に当接したり、角部２３Ａがナット体３の内側面に当接したりする。
従って、コイルバネ体２全体が回らなくなるので、コイルバネ体２は拡径した状態が維持され、本発明の固定具１に装着したボルト１０を緩める方向１３へ回転させ続けることができる。
【００７８】
なお、本発明の固定具１に装着したボルト１０を緩める方向１３へ回転させ続けなければ本発明の固定具１は緩まないため、振動が本発明の固定具１に加えられても、被固定物の緩み抑制の点で支障はない。
【００７９】
また、本発明の固定具を適用する箇所としてＨ形鋼や遮音壁を例に挙げたが、必ずしもこれらに限定されるものではないことは勿論である。
本発明の固定具を適用する箇所の他の例としては、Ｉ形鋼、Ｔ形鋼、Ｌ形鋼（山形鋼）、溝形鋼、せん断キーカバーが挙げられる。
【００８０】
また、必ずしも端部領域を挿入可能な、内側面と外側面との間を貫通する開口部が形成されていなくてもよく、端部領域を挿入可能な、貫通しない凹部が形成されていてもよい。
【００８１】
また、必ずしも円弧状領域は、第１のコイルバネ部を構成するコイル素線の他端に連接していなくてもよい。
しかし、円弧状領域が、第１のコイルバネ部を構成するコイル素線の他端に連接していれば、第２のコイルバネ部が、縮径した位置から縮径する前の位置に、より一層戻りやすいので好ましい。
【００８２】
なお、多角形状領域が、第１のコイルバネ部を構成するコイル素線の他端に連接することも考えられるが、この場合、多角形状領域が、縮径した位置から縮径する前の位置に戻ろうとする際に、本体の隅部に多角形状領域の角部が嵌ったままとなり、戻らない可能性が高い。
【００８３】
また、必ずしも、ナット体の、貫通孔の内部に同軸上に収容されたコイルバネ体の第２のコイルバネ部に対応する位置の内側面に、多角形状領域の角部に対応する隅部が形成されていなくてもよい。
すなわち、必ずしも、六角形のナット体の突き出た部分に相当する位置に隅部が形成されていなくてもよく、例えば、ナット体の、第２のコイルバネ部に対応する位置の内側面は曲面とすることもできる。
【００８４】
しかし、第２のコイルバネ部に対応する位置の内側面に、多角形状領域の角部に対応する隅部が形成されていれば、コイルバネ体をナット体の内側面にさらに接触させやすくなり、また、曲面の場合よりも、コイルバネ体の回転を止めやすくなるので好ましい。
【００８５】
以上のように、本発明の固定具は、貫通孔と同軸上に収容されたコイルバネ体の第２のコイルバネ部に対応する位置の内側面に設けられた凸部によって、多角形状領域の角部近傍と凸部を当接させて、コイルバネ体の縮径を抑制しやすくできる。
【００８６】
また、コイルバネ体が、第１のコイルバネ部のコイル素線の一端から延びたコイル素線の領域であり、かつ、第１のコイルバネ部の外側に配置された端部領域を有しているので、第１のコイルバネ部を拡径方向に押しやすい構造となっている。
そして、コイルバネ体の端部領域を挿入可能な凹部が内側面に形成されているか、またはコイルバネ体の端部領域を挿入可能であり、かつ、内側面と外側面との間を貫通する開口部が形成されているので、端部領域を凹部の縁または開口部の縁に当てることができる。
【００８７】
また、本発明の固定具は、互いに対向する一方の面と他方の面との間を貫通して第１の固定用貫通孔が形成された、かつ、ナット体の貫通孔と第１の固定用貫通孔とが同軸上に配置されてナット体が取付けられる第１の側板と、互いに対向する一方の面と他方の面との間を貫通して第１の固定用貫通孔と同軸上に第２の固定用貫通孔が形成された第２の側板とを備えているので、ナット体の貫通孔と、第１の固定用貫通孔と、第２の固定用貫通孔とに１本のボルトを挿通させることができる。
【００８８】
従って、本発明の固定具に装着したボルトを緩める方向に回転させると、コイルバネ体の縮径を抑制しつつ、端部領域をナット体の開口部の縁に当てて拡径方向に押すことができるので、本発明の固定具は、どのような工具を使っても簡単に緩めることができる。
【００８９】
すなわち、本発明の固定具であれば、ナット体を直接回転させなくてもボルトを回転させるだけで、本発明の固定具を被固定物に取付けたり、本発明の固定具を被固定物から取外したりできる。
【００９０】
また、ナット体と第１の側板とが固着されていなければ、ボルトを本発明の固定具に装着した後でも、ナット体を緩める方向に回転させて、本発明の固定具を被固定物から取外したり、ナット体を締め付ける方向に回転させて、本発明の固定具を被固定物に取付けたりすることができる。
【符号の説明】
【００９１】
１    固定具
２    コイルバネ体
２Ａ  第１のコイルバネ部
２Ｂ  第２のコイルバネ部
３    ナット体
４    貫通孔
４Ａ  上部空間
４Ｂ  中部空間
４Ｃ  下部空間
５    凸部
６    開口部
７    隅部
８    ネジ部
９    Ｈ形鋼のフランジ
９Ａ  遮音壁のフランジ
１０    ボルト
１１    脚部
１２    締め付ける方向
１３    緩める方向
２１    端部領域
２１Ａ  先端領域
２２    円弧状領域
２３    多角形領域
３０    金具
３１    中央板
３２    第１の側板
３２Ａ  第１の固定用貫通孔
３３    第２の側板
３３Ａ  第２の固定用貫通孔
【図１】
0006307397.tif 000002
【図２Ａ】
0006307397.tif 000003
【図２Ｂ】
0006307397.tif 000004
【図３】
0006307397.tif 000005
【図４】
0006307397.tif 000006
【図５Ａ】
0006307397.tif 000007
【図５Ｂ】
0006307397.tif 000008
【図６Ａ】
0006307397.tif 000009
【図６Ｂ】
0006307397.tif 000010
【図７】
0006307397.tif 000011